(57)【要約】【課題】目地交差部を挟む各目地部の幅寸法や位置に狂いがあっても、該目地交差部を、目地を囲む面材の角部にピンホールを生じさせることなく、定形状の乾式止水材でしっかりと止水できる目地交差部の乾式止水構造を提供する。【解決手段】目地交差部１に、該目地交差部１から各目地４…の側に張り出す平面サイズを有する膜状軟質止水材２が、その正面側から定形状の乾式止水材３…を目地内に嵌め込むことで、目地内において目地交差部１を囲む面材７…の角部８…に押し付け状態にされている。【選択図】      図１
2009102886.tif 000002
【特許請求の範囲】
【請求項１】
目地交差部に、該目地交差部から各目地の側に張り出す平面サイズを有する膜状軟質止水材が、その正面側から定形状の乾式止水材を目地内に嵌め込むことで、目地内において目地交差部を囲む面材の角部に押し付け状態にされていることを特徴とする目地交差部の乾式止水構造。
【請求項２】
目地交差部に、該目地交差部から各目地の側に張り出す平面サイズを有すると共に背面部中央に後方に突出する突起を備えた膜状軟質止水材が、目地交差部を挟む下側の目地を除く目地に対してその正面側から定形状の乾式止水材を目地内に嵌め込むことで、目地内において目地交差部を囲む面材の角部に押し付け状態にされていると共に、
目地交差部を挟む下側の目地に対して乾式止水材を膜状軟質止水材の背面部を突き上げるように嵌め込むことで、膜状軟質止水材において、突起よりも下方の膜部分が、下側乾式止水材上端部への突起の当接により、該上端部を反力部として下側の乾式止水材の上面部に密接されていることを特徴とする目地交差部の乾式止水構造。
【発明の詳細な説明】
【技術分野】
【０００１】
本発明は、目地交差部の乾式止水構造に関する。
【背景技術】
【０００２】
外壁等において縦目地と横目地の交差する例えば十字状の目地交差部を定形状の乾式止水材で止水する方法は、従来より提供されている。
【特許文献１】特開平０７−２０７７７６号公報
【発明の開示】
【発明が解決しようとする課題】
【０００３】
しかしながら、目地交差部では、組立て誤差や施工誤差などによって、上下左右の目地の幅寸法が異なったものになってしまったり、偏心してしまうことがあり、そのため、目地交差部を定形状の乾式止水材で止水すると、目地を囲む面材の角部にピンホールを生じ、止水性能を低下させてしまうことがある。
【０００４】
本発明は、上記のような問題点に鑑み、目地交差部を挟む各目地部の幅寸法や位置に狂いがあっても、該目地交差部を、目地を囲む面材の角部にピンホールを生じさせることなく、定形状の乾式止水材でしっかりと止水することができる目地交差部の乾式止水構造を提供することを課題とする。
【課題を解決するための手段】
【０００５】
上記の課題は、目地交差部に、該目地交差部から各目地の側に張り出す平面サイズを有する膜状軟質止水材が、その正面側から定形状の乾式止水材を目地内に嵌め込むことで、目地内において目地交差部を囲む面材の角部に押し付け状態にされていることを特徴とする目地交差部の乾式止水構造によって解決される（第１発明）。
【０００６】
この構造では、乾式止水材と膜状軟質止水材とで目地交差部を止水状態にすることができるのはもちろん、膜状軟質止水材が、目地への乾式止水材の嵌め込み状態において、目地内で目地交差部を囲む面材の角部に押し付け状態にされているので、目地を囲む面材の角部にピンホールを生じさせることがなく、目地交差部を挟む各目地部の幅寸法や位置に狂いがあっても、該目地交差部を、定形状の乾式止水材でしっかりと止水することができる。
【０００７】
また、上記の課題は、目地交差部に、該目地交差部から各目地の側に張り出す平面サイズを有すると共に背面部中央に後方に突出する突起を備えた膜状軟質止水材が、目地交差部を挟む下側の目地を除く目地に対してその正面側から定形状の乾式止水材を目地内に嵌め込むことで、目地内において目地交差部を囲む面材の角部に押し付け状態にされていると共に、
目地交差部を挟む下側の目地に対して乾式止水材を膜状軟質止水材の背面部を突き上げるように嵌め込むことで、膜状軟質止水材において、突起よりも下方の膜部分が、下側乾式止水材上端部への突起の当接により、該上端部を反力部として下側の乾式止水材の上面部に密接されていることを特徴とする目地交差部の乾式止水構造によって解決される。
【０００８】
この構造では、第１発明と同様に、膜状軟質止水材が、目地への乾式止水材の嵌め込み状態において、目地内で目地交差部を囲む面材の角部に押し付け状態になっているので、目地を囲む面材の角部にピンホールを生じさせることがないのはもちろん、膜状軟質止水材の突起よりも下方の膜部分が、突起による反力を利用して下側乾式止水材上面部にしっかりとした密接状態となることができて、高い水密性を確保することができ、止水性能を向上することができる。
【発明の効果】
【０００９】
本発明は、以上のとおりのものであるから、目地交差部を挟む各目地部の幅寸法や位置に狂いがあっても、該目地交差部を、目地を囲む面材の角部にピンホールを生じさせることなく、定形状の乾式止水材でしっかりと止水することができる。
【発明を実施するための最良の形態】
【００１０】
次に、本発明の実施最良形態を図面に基づいて説明する。
【００１１】
図１及び図２に示す第１発明の実施形態において、１は外壁の十字状の目地交差部、２は膜状軟質止水材、３…は定形状の乾式止水材である。
【００１２】
膜状軟質止水材２は、目地交差部１から四方の目地４…の側に張り出す平面サイズの平面視円形状のものからなっていて、軟質樹脂製の止水性膜芯部５の両面部にＥＰＴなどの独立発泡のスポンジ状止水材６，６が接着状態に設けられたもので、正面側を凹、背面側を凸とする鈍角円錐状に形成されている。上記の膜芯部５は、身近な例でいうと、軟質樹脂製の吸盤部分のようなものからなっている。
【００１３】
目地交差部１における止水の施工は、図１（イ）に示す十字状目地交差部１に対し、図１（ロ）に示すように、該膜状軟質止水材２を、屋外側から、四方の目地４…の側に張り出すように配置し、そして、図１（ハ）及び図２（イ）（ロ）に示すように、上下左右の４本の定形状の乾式止水材３…を、膜状軟質止水材２の正面側から、目地内に嵌め込んでいく。すると、図１（ハ）に矢印で示すように、乾式止水材３…間の膜部分が、目地内に押し込まれていき、図１（ニ）に示すように、膜状軟質止水材２は、目地内において目地交差部１を囲む面材７…の各角部８…に押し付け状態となって、目地交差部の乾式止水構造が形成される。
【００１４】
上記の構造では、乾式止水材３と膜状軟質止水材２とで目地交差部１を止水状態にすることができるのはもちろん、膜状軟質止水材２が、目地への乾式止水材３…の嵌め込み状態において、目地内で目地交差部１を囲む各面材７…の角部８…に押し付け状態になっているので、目地交差部を挟む各目地部の幅寸法や位置に狂いがあっても、該面材７…の角部８…にピンホールを生じることがなく、目地交差部１を、定形状の乾式止水材３…でしっかりと止水することができる。
【００１５】
図３及び図４に示す第２発明の実施形態では、同様の膜状軟質止水材２において、背面部中央に後方に突出する突起９が備えられると共に、膜部分の下端部は、水平に真っ直ぐカットされている。
【００１６】
目地交差部１における止水の施工は、図３（イ）に示す十字状目地交差部１に対し、図１（ロ）に示すように、該膜状軟質止水材２を、屋外側から、四方の目地４…の側に張り出すように配置する。その際、図４（イ）（ロ）に示すように、背面側の突起９は、目地交差部１内に突出させた状態にする。そして、図３（ハ）及び図４（イ）（ロ）に示すように、上と左右の３本の定形状の乾式止水材３…を、膜状軟質止水材２の正面側から、目地内に嵌め込む。すると、左右上の乾式止水材３…間の膜部分が、目地内に押し込まれていき、膜状軟質止水材２は、図３（ニ）に示すように、目地内において目地交差部１を囲む上側の２つの面材７，７の各角部８，８に押し付け状態となる。
【００１７】
しかる後、図４（ロ）に示すように、目地交差部１を挟む下側の目地４に対して下側の乾式止水材３を、その上端部で膜状軟質止水材２の下側の膜部分の背面部を突き上げるようにして嵌め込む。すると、膜状軟質止水材２において、突起９よりも下方の膜部分が、下側乾式止水材３の上端部への突起９の当接により、該上端部を反力部として下側の乾式止水材３の上面部３ａに密接された状態となって、図３（ニ）に示すように目地交差部の乾式止水構造が形成される。
【００１８】
この構造では、膜状軟質止水材２が、目地への左右上の乾式止水材３…の嵌め込み状態において、目地内で目地交差部１を囲む上側の二つの面材７，７の角部８，８に押し付け状態になって、目地を囲む面材の角部にピンホールを生じさせることがないのはもちろん、膜状軟質止水材２の突起９よりも下方の膜部分が、突起９による反力を利用して下側乾式止水材３の上面部にしっかりとした密接状態となって、高い水密性が確保され、目地交差部を挟む各目地部の幅寸法や位置に狂いがあっても、高い止水性能を発揮することができる。
【００１９】
以上に、本発明の実施形態を示したが、本発明はこれに限られるものではなく、発明思想を逸脱しない範囲で各種の変更が可能である。例えば、上記の実施形態では、十字状の目地交差部に適用した場合を示したが、Ｔ字状の目地交差部に適用することも可能である。また、上記の実施形態では、目地交差部に各目地の端部を位置させた場合を示したが、目地交差部を横断あるいは縦断する乾式止水材と、端部を目地交差部に位置させる乾式止水材との組み合わせであってもよい。
【図面の簡単な説明】
【００２０】
【図１】第１実施形態を示すもので、図（イ）の目地交差部の正面図、図（ロ）は該目地交差部に屋外側から膜状軟質止水材を配置した状態の正面図、図（ハ）は上下左右の各目地部に乾式止水材を嵌め込んでいく過程を示す正面図、図（ニ）は乾式止水材が嵌め込まれて目地交差部の乾式止水構造が形成された状態の正面図である。
【図２】図（イ）は横目地における乾式止水材の嵌め込み方法を示す断面平面図、図（ロ）は縦目地における乾式止水材の嵌め込み方法を示す断面平面図である。
【図３】第２実施形態を示すもので、図（イ）の目地交差部の正面図、図（ロ）は該目地交差部に屋外側から膜状軟質止水材を配置した状態の正面図、図（ハ）は左右上の各目地部に乾式止水材を嵌め込んでいく過程を示す正面図、図（ニ）はすべての乾式止水材が嵌め込まれて目地交差部の乾式止水構造が形成された状態の正面図である。
【図４】図（イ）は、横目地における乾式止水材の嵌め込み方法を示す断面平面図、図（ロ）は縦目地における乾式止水材の嵌め込み方法を示す断面平面図である。
【符号の説明】
【００２１】
１…目地交差部
２…膜状軟質止水材
３…乾式止水材
３ａ…上面部
４…目地
７…面材
８…角部
９…突起
【図１】
2009102886.tif 000003
【図２】
2009102886.tif 000004
【図３】
2009102886.tif 000005
【図４】
2009102886.tif 000006